【手続補正書】
【提出日】平成17年2月22日(2005.2.22)
【手続補正１】
【補正対象書類名】特許請求の範囲
【補正対象項目名】全文
【補正方法】変更
【補正の内容】
【特許請求の範囲】
【請求項１】
電界放射ディスプレイ装置であって、
駆動回路によって制御されるエミッタ電極及びゲート電極を各々が有する複数のピクセルから成る行列と、アノード電極と、を有するディスプレイと、
前記アノード電極へ高電圧を供給するように接続された高電圧電源と、
前記駆動回路へ低電圧を供給するように接続された低電圧電源と、
前記高電圧及び低電圧電源及び前記駆動回路に接続された制御ロジックとを有し、
前記制御ロジックは、前記エミッタから前記ゲート電極への電子放出を防止するために、最初に前記高電圧電源をイネーブルし、次に前記低電圧電源をイネーブルすることによって前記ディスプレイに電源を入れる、ことを特徴とする電界放射ディスプレイ装置。
【請求項２】
請求項１記載の電界放射ディスプレイ装置であって、
前記制御ロジックは、更に、前記低電圧電源をイネーブルした後に前記駆動回路をイネーブルする、ことを特徴とする電界放射ディスプレイ装置。
【請求項３】
請求項１記載の電界放射ディスプレイ装置であって、
前記高電圧電源は、作動電圧に達すると確認信号を生成し、
前記制御ロジックは、前記高電圧電源へのイネーブル信号を生成することによって前記高電圧電源をイネーブルし、
前記制御ロジックは、前記高電圧電源から前記確認信号が受信されると、前記低電圧電源へのイネーブル信号を生成することによって前記低電圧電源をイネーブルする、ことを特徴とする電界放射ディスプレイ装置。
【請求項４】
請求項１記載の電界放射ディスプレイ装置であって、
前記ディスプレイ内の汚染物質を捕獲するガス・トラッピング装置を更に有する、ことを特徴とする電界放射ディスプレイ装置。
【請求項５】
電界放射ディスプレイ装置であって、
駆動回路によって制御されるエミッタ電極及びゲート電極を各々が有する複数のピクセルから成る行列と、アノード電極と、を有するディスプレイと、
前記アノード電極へ高電圧を供給するように接続されると共に、第一のイネーブル信号を受信するように接続され、作動電圧に達すると確認信号を生成する高電圧電源と、
前記駆動回路へ低電圧を供給するように接続されると共に、第二のイネーブル信号を受信するように接続された低電圧電源と、
前記高電圧及び低電圧電源及び前記駆動回路に接続された制御ロジックとを有し、
前記制御ロジックは、前記エミッタから前記ゲート電極への電子放出を防止するために、最初に前記第一のイネーブル信号を生成し、次に前記確認信号に応答して前記第二のイネーブル信号を生成することによって前記ディスプレイに電源を入れる、ことを特徴とする電界放射ディスプレイ装置。
【請求項６】
請求項５記載の電界放射ディスプレイ装置であって、
前記駆動回路は、第三のイネーブル信号を受信するように接続され、
前記制御ロジックは、更に、前記低電圧電源をイネーブルした後、前記第三のイネーブル信号を生成することによって前記駆動回路をイネーブルする、ことを特徴とする電界放射ディスプレイ装置。
【請求項７】
請求項６記載の電界放射ディスプレイ装置であって、
前記第三のイネーブル信号は、前記低電圧電源がイネーブルされてから所定時間後に生成される、ことを特徴とする電界放射ディスプレイ装置。
【請求項８】
請求項６記載の電界放射ディスプレイ装置であって、
前記低電圧電源は、作動電圧に達すると確認信号を生成し、
前記第三のイネーブル信号は、前記制御ロジックが前記低電圧電源から前記確認信号を受信した後に生成される、ことを特徴とする電界放射ディスプレイ装置。
【請求項９】
請求項１又は６記載の電界放射ディスプレイ装置であって、
前記制御ロジックは、更に、最初に前記低電圧電源をディスエブルして、次に前記高電圧電源をディスエブルすることによって、前記ディスプレイをパワーダウンさせる、ことを特徴とする電界放射ディスプレイ装置。
【請求項１０】
請求項１又は６記載の電界放射ディスプレイ装置であって、
前記高電圧は、５，０００〜１０，０００ボルトの範囲内である、ことを特徴とする電界放射ディスプレイ装置。
【請求項１１】
請求項６記載の電界放射ディスプレイ装置であって、
前記ディスプレイ内の汚染物質を捕獲するガス・トラッピング装置を更に有する、ことを特徴とする電界放射ディスプレイ装置。
【請求項１２】
電界放射ディスプレイ装置であって、
駆動回路によって制御されるエミッタ電極及びゲート電極を各々が有する複数のピクセルから成る行列と、アノード電極と、を有するディスプレイと、
前記アノード電極へ高電圧を供給するように接続された高電圧電源と、
前記駆動回路へ低電圧を供給するように接続された低電圧電源と、
前記アノード電極において高電圧を検出する検出手段と、
前記高電圧及び低電圧電源及び前記駆動回路に接続された制御ロジックとを有し、
前記制御ロジックは、前記検出手段によって前記アノードにおいて高電圧が検出された後で前記低電圧電源をイネーブルすることによって前記ディスプレイに電源を入れる、ことを特徴とする電界放射ディスプレイ装置。
【請求項１３】
請求項１２記載のディスプレイであって、
前記制御ロジックは、電源が入れられると、前記高電圧電源へのイネーブル信号を生成することによって前記高電圧電源をイネーブルし、
前記制御ロジックは、前記検出手段から信号が受信されると、前記低電圧電源へのイネーブル信号を生成することによって前記低電圧電源をイネーブルする、ことを特徴とするディスプレイ。
【請求項１４】
請求項１３記載のディスプレイであって、
前記ディスプレイは、フォーカス・ワッフルを更に有し、
前記検出手段は、前記フォーカス・ワッフルへの電流を検出する回路を有する、ことを特徴とするディスプレイ。
【請求項１５】
請求項１３記載のディスプレイであって、
前記ディスプレイは、フォーカス・ワッフルを更に有し、
前記検出手段は、前記フォーカス・ワッフルを通じて前記アノードにおける電圧上昇を容量性的に検出する回路を有する、ことを特徴とするディスプレイ。
【請求項１６】
請求項１３記載のディスプレイであって、
前記ディスプレイは、前記アノードの上に導電層を更に有し、
前記検出手段は、前記導電層を通じて前記アノードにおける電圧上昇を容量性的に検出する回路を有する、ことを特徴とするディスプレイ。
【請求項１７】
請求項１３記載のディスプレイであって、
前記検出手段は、前記アノードへの静電気力を検出するマイクロメカニカルフォース検出器を有する、ことを特徴とするディスプレイ。
【請求項１８】
請求項１３記載のディスプレイであって、
前記カソードの近くに配置され、電源が入れられたときにパルシングによって起動されるサブピクセルと、
前記サブピクセルの上に置かれた蛍光体パッチとを更に有し、
前記検出手段は、前記サブピクセルから発せられた光を検出する、ことを特徴とするディスプレイ。
【請求項１９】
請求項１３記載のディスプレイであって、
前記カソードの近くに配置され、電源が入れられたときにパルシングによって起動されるサブピクセルと、
前記サブピクセルの上に置かれ、独立して接続されたアノード・セクションとを更に有し、
前記検出手段は、前記サブピクセルに対応する前記アノードからの電流信号を検出する、ことを特徴とするディスプレイ。
【請求項２０】
駆動回路によって制御されるエミッタ電極及びゲート電極を各々が有する複数のピクセルから成る行列と、アノード電極と、を有するディスプレイを備えた電界放射ディスプレイ装置において、該ディスプレイ装置に電源を入れる方法であって、
ａ）制御ロジックが前記アノード電極へ高電圧を供給する高電圧電源への第一のイネーブル信号を生成する工程と、
ｂ）前記高電圧電源が作動電圧に達したときに確認信号を生成する工程と、
ｃ）前記制御ロジックが、前記確認信号に応じて、前記駆動回路へ低電圧を供給する前記低電圧電源への第二のイネーブル信号を生成する工程と、を有することを特徴とする方法。
【請求項２１】
請求項２０記載の方法であって、
ｄ）前記制御ロジックが前記低電圧電源をイネーブルした後に前記駆動回路をイネーブルする工程、を更に有することを特徴とする方法。
【請求項２２】
請求項２０記載の方法であって、
ｄ）前記制御ロジックが、最初に前記低電圧電源をディスエブルし、次に前記高電圧電源をディスエブルすることによって、前記ディスプレイをパワーダウンさせる工程、を更に有することを特徴とする方法。
【請求項２３】
請求項２０記載の方法であって、
前記高電圧は、５，０００〜１０，０００ボルトの範囲内である、ことを特徴とする方法。